【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
コンピュータ実施方法であって、
メディアオブジェクトの識別子を受信する段階と、
前記識別子の受信に応答して、前記メディアオブジェクトのサマリーを取得する段階と、
前記識別子の受信に応答して、前記メディアオブジェクトについての空間サムネイルを取得する段階と、
前記メディアオブジェクトの前記サマリーおよび前記空間サムネイルを取得後、視覚表示上に前記メディアオブジェクトの前記サマリーおよび前記空間サムネイルを同時に表示する段階と
を有し、
前記メディアオブジェクトが、ある位置に対応する位置関連の内容を含み、
前記空間サムネイルが、前記位置を含む空間領域のイメージの表現を含むことを特徴とする方法。
【請求項２】
前記空間サムネイルが、前記領域の前記イメージ内の前記位置を示す可視インジケータをさらに含むことを特徴とする請求項1に記載の方法。
【請求項３】
前記可視インジケータが、前記位置関連の内容のサブセットを表すことを特徴とする請求項2に記載の方法。
【請求項４】
前記可視インジケータが、マーカーアイコンまたは矢印から成ることを特徴とする請求項2に記載の方法。
【請求項５】
前記位置関連の内容で表される位置参照のタイプに基づいて、可視インジケータのタイプを選択する段階を有することを特徴とする請求項2に記載の方法。
【請求項６】
前記イメージが、2次元画像、3次元画像、アニメーション画像、コンピュータ生成ホログラム、および彫像のうちの少なくとも1つを含むことを特徴とする請求項1に記載の方法。
【請求項７】
前記空間領域が、地理的領域、物理的かつ非地理的領域、および架空領域のうちの1つを含むことを特徴とする請求項1に記載の方法。
【請求項８】
前記メディアオブジェクトの前記サマリーを表示する段階が、前記メディアオブジェクトの断片と、前記メディアオブジェクトのイメージとのうちの少なくとも1つを表示する段階を含むことを特徴とする請求項1に記載の方法。
【請求項９】
前記メディアオブジェクトの前記空間サムネイルを取得する段階が、
リポジトリから前記空間サムネイルを取得する段階と、
前記空間サムネイルを生成する段階と
のうちの1つを含み、
前記空間サムネイルを生成する段階が、
前記メディアオブジェクトの前記位置関連の内容を取得する段階と、
前記位置を含む前記空間領域の前記イメージを取得する段階と
を含むことを特徴とする請求項1に記載の方法。
【請求項１０】
前記メディアオブジェクトの識別子を受信する段階が、前記メディアオブジェクトを参照するユーザ入力を受信する段階を含むことを特徴とする請求項1に記載の方法。
【請求項１１】
前記位置関連の内容が、前記メディアオブジェクト内の地理的参照および空間的関係のうちの少なくとも1つを表すことを特徴とする請求項1に記載の方法。
【請求項１２】
前記位置関連の内容が、自動地理解析エンジンによって生成されることを特徴とする請求項1に記載の方法。
【請求項１３】
前記位置関連の内容が、前記メディアオブジェクト内の地理空間参照のサブセットを表し、
前記地理空間参照のサブセットが、前記自動地理解析エンジンによって選択されることを特徴とする請求項12に記載の方法。
【請求項１４】
前記メディアオブジェクトが、デジタル文書、生体、紙の文書、テキスト文書、岩石、ビデオ、電子メールメッセージ、Webページ、スライドショープレゼンテーション、スプレッドシート、式表現、音楽、または本のうちの1つを含むことを特徴とする請求項1に記載の方法。
【請求項１５】
前記本の前記サマリーが、前記本から抜粋されたサブメディアオブジェクトと、前記本の論評と、前記本のあるページの画像と、前記本からの画像とのうちの少なくとも1つを含むことを特徴とする請求項14に記載の方法。
【請求項１６】
前記空間サムネイルが、前記本から抜粋された少なくとも1つのサブメディアオブジェクト内の空間参照を表すマーカーを含むことを特徴とする請求項15に記載の方法。
【請求項１７】
前記メディアオブジェクトの前記サマリーおよび前記空間サムネイルに加えて、前記メディアオブジェクトへの参照を表示する段階をさらに有することを特徴とする請求項1に記載の方法。
【請求項１８】
前記参照が、前記メディアオブジェクトへのハイパーリンクと、前記メディアオブジェクトへの書誌参照とのうちの少なくとも1つを含むことを特徴とする請求項17に記載の方法。
【請求項１９】
前記メディアオブジェクトについての複数の空間サムネイルを取得して、表示する段階をさらに有し、
少なくとも1つの空間サムネイルが、少なくとも1つの他の空間サムネイルとは異なる位置関連の内容を表すことを特徴とする請求項1に記載の方法。
【請求項２０】
前記メディアオブジェクト内の空間参照を識別する段階と、
選択された座標系の1組の座標によって表されるある位置を、前記識別された空間参照と関連付ける段階と、
前記1組の座標を位置関連の内容に符号化する段階と
を実行することによって、前記メディアオブジェクトに関連付けられている前記位置関連の内容を自動的に生成する段階をさらに有することを特徴とする請求項1に記載の方法。
【請求項２１】
表示装置を備えるコンピュータシステムで使用するための、コンピュータ可読媒体に格納されたインターフェイスプログラムであって、
前記インターフェイスプログラムが、前記コンピュータシステムに、
メディアオブジェクトの識別子を受信する機能と、
前記識別子の受信に応答して、前記メディアオブジェクトのサマリーを取得する機能と、
前記識別子の受信に応答して、前記メディアオブジェクトについての空間サムネイルを生成する機能と、
前記メディアオブジェクトの前記サマリーおよび前記空間サムネイルを取得後、視覚表示上に前記メディアオブジェクトの前記サマリーおよび前記空間サムネイルを同時に表示する機能と
を実行させ、
前記メディアオブジェクトが、ある位置に対応する位置関連の内容を含み、
前記空間サムネイルが、前記位置を含む空間領域のイメージの表現を含むことを特徴とするインターフェイスプログラム。
【請求項２２】
前記メディアオブジェクトについての前記位置関連の内容を生成する機能を有する解析エンジンをさらに有し、
前記解析エンジンが、
前記メディアオブジェクト内の空間参照を識別する機能と、
選択された座標系の座標によって表されるある位置を、前記識別された空間参照と関連付ける機能と、
前記座標を前記位置関連の内容に符号化する機能と
を実行する命令を有することを特徴とする請求項21に記載のインターフェイスプログラム。
【請求項２３】
情報を表示するコンピュータ実施方法であって、
ユーザから複数のメディアオブジェクトを検索するためのクエリを受信する段階と、
前記クエリを検索エンジンに送信する段階と、
送信された前記クエリに基づいて、複数の検索結果を前記検索エンジンから受信する段階と、
前記複数の検索結果のそれぞれに対して、対応する別個の空間サムネイルを取得する段階と、
視覚表示上に前記複数の検索結果および該複数の検索結果に対して取得された複数の前記対応する別個の空間サムネイルを同時に表示する段階と
を有し、
前記複数の検索結果のそれぞれが、前記複数のメディアオブジェクトのうち、前記クエリを満たし、かつ関連した位置に対応する位置関連の内容を含む対応するメディアオブジェクトを表し、
前記空間サムネイルが、前記複数の検索結果のそれぞれに対応する前記メディアオブジェクトを表すとともに、該メディアオブジェクトの前記位置関連の内容に対応する前記位置を含む空間領域のイメージを含むことを特徴とする方法。
【請求項２４】
前記複数の検索結果のうち少なくとも一部が、文書リポジトリに格納されているデジタルメディアオブジェクトを表すことを特徴とする請求項23に記載の方法。
【請求項２５】
前記複数の検索結果が、ワールドワイドウェブを介してアクセス可能な複数のデジタルメディアオブジェクトを表すことを特徴とする請求項23に記載の方法。
【請求項２６】
前記複数の検索結果のそれぞれに対して、前記表されたメディアオブジェクトのサマリーを表示する段階をさらに有することを特徴とする請求項23に記載の方法。
【請求項２７】
前記サマリーを表示する段階が、前記表されたメディアオブジェクトの断片と、前記表されたメディアオブジェクトのイメージとのうちの少なくとも1つを表示する段階を含むことを特徴とする請求項26に記載の方法。
【請求項２８】
前記ユーザからの前記クエリが、フリーテキストクエリと、他のクエリ制約付きのフリーテキストクエリと、選択項目のリストからの選択と、一連のリンクを介したナビゲーションとのうちの1つを含むことを特徴とする請求項23に記載の方法。
【請求項２９】
前記複数の空間サムネイルのそれぞれが、前記領域の前記イメージ内の前記位置を示す可視インジケータをさらに含むことを特徴とする請求項23に記載の方法。
【請求項３０】
前記可視インジケータが、前記位置関連の内容のサブセットを表すことを特徴とする請求項29に記載の方法。
【請求項３１】
前記可視インジケータが、マーカーアイコンまたは矢印から成ることを特徴とする請求項29に記載の方法。
【請求項３２】
前記位置関連の内容で表される位置参照のタイプに基づいて、可視インジケータのタイプを選択する段階をさらに有することを特徴とする請求項29に記載の方法。
【請求項３３】
前記複数のメディアオブジェクトのそれぞれが、デジタル文書、生体、紙の文書、テキスト文書、岩石、ビデオ、電子メールメッセージ、Webページ、スライドショープレゼンテーション、スプレッドシート、式表現、音楽、または本のうちの1つを含むことを特徴とする請求項23に記載の方法。
【請求項３４】
前記複数の検索結果に対する各空間領域が、地理的領域、物理的かつ非地理的領域、および架空領域のうちの1つを含むことを特徴とする請求項23に記載の方法。
【請求項３５】
前記複数の検索結果に対する各空間領域が、前記複数の検索結果によって表される複数のメディアオブジェクトからの位置関連の内容を含むことを特徴とする請求項23に記載の方法。
【請求項３６】
前記空間サムネイル毎の前記イメージが、2次元画像、3次元画像、アニメーション画像、コンピュータ生成ホログラム、および彫像のうちの少なくとも1つを含むことを特徴とする請求項23に記載の方法。
【請求項３７】
前記表されたメディアオブジェクトの前記空間サムネイルを取得する段階が、
リポジトリから前記空間サムネイルを取得する段階と、
前記空間サムネイルを生成する段階と
のうちの1つを含み、
前記空間サムネイルを生成する段階が、
前記表されたメディアオブジェクトの前記位置関連の内容を取得する段階と、
前記位置を含む前記空間領域の前記イメージを取得する段階と
を含むことを特徴とする請求項23に記載の方法。
【請求項３８】
前記位置関連の内容が、前記表されたメディアオブジェクト内の地理的参照および空間的関係のうちの少なくとも1つを含むことを特徴とする請求項23に記載の方法。
【請求項３９】
前記複数の検索結果のそれぞれに対する前記位置関連の内容が、自動地理解析エンジンによって生成されることを特徴とする請求項23に記載の方法。
【請求項４０】
前記複数の検索結果のそれぞれに対する前記位置関連の内容が、前記表されたメディアオブジェクト内の地理空間参照のサブセットを表し、
前記地理空間参照のサブセットが、前記自動地理解析エンジンによって選択されることを特徴とする請求項39に記載の方法。
【請求項４１】
前記複数の検索結果が、前記表されたメディアオブジェクトへのハイパーリンクおよび書誌参照のうちの少なくとも1つを含むことを特徴とする請求項23に記載の方法。
【請求項４２】
前記表されたメディアオブジェクト内の空間参照を識別する段階と、
選択された座標系の1組の座標によって表されるある位置を、前記識別された空間参照と関連付ける段階と、
前記1組の座標を前記位置関連の内容に符号化する段階と
を実行することによって、前記表されたメディアオブジェクトに関連付けられている前記位置関連の内容を自動的に生成する段階をさらに有することを特徴とする請求項23に記載の方法。
【請求項４３】
表示装置を備えるコンピュータシステムに情報を表示させるための、コンピュータ可読媒体に格納されているインターフェイスプログラムであって、
前記インターフェイスプログラムが、前記コンピュータシステムに、
ユーザから複数のメディアオブジェクトを検索するためのクエリを受信する機能と、
前記クエリを検索エンジンに送信する機能と、
送信された前記クエリに基づいて、複数の検索結果を前記検索エンジンから受信する機能と、
前記複数の検索結果のそれぞれに対して、対応する別個の空間サムネイルを取得する機能と、
視覚表示上に前記複数の検索結果および該複数の検索結果に対して取得された複数の前記対応する別個の空間サムネイルを同時に表示する機能と
を実行させ、
前記複数の検索結果のそれぞれが、前記複数のメディアオブジェクトのうち、前記クエリを満たし、かつ関連した位置に対応する位置関連の内容を含む対応するメディアオブジェクトを表し、
前記空間サムネイルが、前記複数の検索結果のそれぞれに対応する前記メディアオブジェクトを表すとともに、該メディアオブジェクトの前記位置関連の内容に対応する前記位置を含む空間領域のイメージを含むことを特徴とするインターフェイスプログラム。